(57)【要約】  本発明は電気玩具用のセンシング制御システムであって、外的センシングを受けてセンシング信号を生成する信号検出モジュールと、センシング信号を受信し、センシング信号の数を計数し、異なる数のセンシング信号に対応する異なる制御信号を送信する計算／制御モジュールと、制御信号を受信し、電気玩具に駆動信号を送信して電気玩具を動作させるよう制御する電気駆動モジュールとを備える、電気玩具用のセンシング制御システムを提供する。したがって、電気玩具は、異なる数のセンシング信号に応じて、異なる動作を実施することができ、また、速度を変えて同じ動作を実施することができる。このようにして、本発明のセンシング制御システムを具備する玩具は、遠隔制御の限界を超えて、様々な年齢の子供達の玩具として適している。更に、玩具は、より使い勝手がよくなり、よりインタラクティブとなり、また、より面白くなるといった利点を有するため、多くの子供達に愛用されるようになる。【選択図】なし
2016507311.tif 000002
【特許請求の範囲】
【請求項１】
電気玩具用のセンシング制御システムであって、
外的センシングを受けてセンシング信号を生成する信号検出モジュールと、
前記センシング信号を受信し、前記センシング信号の数を計数し、異なる数のセンシング信号に対応する異なる制御信号を送信する計算／制御モジュールと、
前記制御信号を受信し、前記電気玩具に駆動信号を送信して前記電気玩具を動作するよう制御する、電気駆動モジュールと、を備えることを特徴とする電気玩具用のセンシング制御システム。
【請求項２】
前記信号検出モジュールは、非接触式センシング回路を含み、前記非接触式センシング回路にはセンシング受信器が設けられ、前記センシング受信器はユーザが行う動作それぞれに対して、リアルタイムで前記ユーザの動作を追跡して検知し、前記センシング受信器は一つのセンシング信号を出力して前記センシング信号を前記計算／制御モジュールに送信することを特徴とする、請求項１記載の電気玩具用のセンシング制御システム。
【請求項３】
前記非接触式センシング回路は、感光性のセンシング回路、磁気センシング回路、熱センシング回路、および、音センシング回路よりなる群から選択されることを特徴とする、請求項２記載の電気玩具用のセンシング制御システム。
【請求項４】
前記計算／制御モジュールは、制御チップを含み、前記制御チップは連続的な時間期間で前記信号検出モジュールから送信される前記センシング信号の数を記録し、前記記録された数に対応する制御信号を前記記録された数に応じて前記電気駆動モジュールに送信することを特徴とする、請求項１記載の電気玩具用のセンシング制御システム。
【請求項５】
前記制御チップには複数の組の制御信号が記憶され、各組の制御信号は数値範囲に対応し、前記記録された数がどの数値範囲内にもない場合には信号が送信されず、前記記録された数が一つの数値範囲内にある場合には前記記録された数が属する前記数値範囲に対応する制御信号が送信されることを特徴とする、請求項４記載の電気玩具用のセンシング制御システム。
【請求項６】
前記電気駆動モジュールは、モータ駆動モジュール、光駆動モジュール、音駆動モジュール、電磁石駆動モジュール、および、二つ以上のこれらの組み合わせよりなる群から選択されることを特徴とする、請求項１記載の電気玩具用のセンシング制御システム。
【請求項７】
前記電気駆動モジュールは、モータを含むモータ駆動モジュールであり、
前記計算／制御モジュールにはシングル・チップ・マイクロコンピュータ（ＳＣＭ）が設けられ、前記シングル・チップ・マイクロコンピュータ（ＳＣＭ）には前記制御信号が記憶され、
数値範囲がＮ１の場合には、モータは速度Ｓ１でＴ１秒間運転され、
数値範囲がＮ２の場合には、モータは速度Ｓ２でＴ２秒間運転され、
数値範囲がＮ３の場合には、モータは速度Ｓ３でＴ３秒間運転され、
数値範囲がＮｍの場合には、モータは速度ＳｍでＴｍ秒間運転され、
数値範囲がＮ２でありＮ１＜Ｎ２＜Ｎ３＜Ｎｍの場合には、Ｓ１＜Ｓ２＜Ｓ３＜Ｓｍ、Ｔ１＜Ｔ２＜Ｔ３＜Ｔｍであることを特徴とする、請求項１記載の電気玩具用のセンシング制御システム。
【請求項８】
前記信号検出モジュールは、フォトトランジスタを含む感光性のセンシング・モジュールであり、
前記フォトトランジスタは、前記電気玩具の上面に配置され、
ユーザが前記電気玩具の上方で手を振ると、前記フォトトランジスタはセンシングを受け、相応じてセンシング信号を前記計算／制御モジュールに送信し、
前記ユーザが連続的な時間期間でＸ回手を振り、２回の連続的な手振り動作間の時間間隔がわずか１秒である場合、前記ユーザの手振り動作の終了から１秒後に前記シングル・チップ・マイクロコンピュータ（ＳＣＭ）は前記生成されたセンシング信号を計数し、前記計数された数がＸに到達すると、前記数ＸをＮ１、Ｎ２，Ｎ３、…Ｎｍと比較し、
ＸがＮ１よりも小さい場合、信号は送信されず、
ＸがＮ１、Ｎ２，Ｎ３、…Ｎｍのいずれか一つの範囲内にある場合、前記Ｘが属する数値範囲に対応する制御信号が前記電気駆動モジュールに送信されて、前記制御信号に対応する特定の運転速度や特定の運転時間に応じてモータが駆動される、請求項７記載の電気玩具用のセンシング制御システム。
【請求項９】
前記信号検出モジュールは、少なくとも２つの非接触式センシング回路を有し、前記非接触式センシング回路それぞれにはセンシング受信器が設けられ、前記センシング受信器は前記ユーザが行う動作それぞれに対してリアルタイムで前記ユーザの動作を追跡して検知し、前記センシング受信器は一つのセンシング信号を出力し、前記センシング信号を前記計算／制御モジュールに送信し、
前記計算／制御モジュールは受信した複数のセンシング信号の組み合わせの決定に基づいて対応する制御信号を送信することを特徴とする、請求項１記載の電気玩具用のセンシング制御システム。
【請求項１０】
前記非接触式センシング回路は、感光性のセンシング回路、磁気センシング回路、熱センシング回路、音センシング回路、および、二つ以上のこれらの組み合わせよりなる群から選択されることを特徴とする、請求項９記載の電気玩具用のセンシング制御システム。
【発明の詳細な説明】
【技術分野】
【０００１】
本発明はセンシング制御システムに係る。より具体的には、本発明は、電気玩具用のセンシング制御システムに関わる。
【背景技術】
【０００２】
現在利用可能な、あるタイプの電気玩具は、機械的スイッチまたはボタンによって制御されている。電気玩具の本体に設けられた機械的スイッチまたはボタンがオンにされると、玩具は電力によって駆動されて対応する動作を行う。しかしながら、このタイプの電気玩具の動作は、ユーザによって制御することができない。つまり、機械的スイッチまたはボタンがオンにされた後、玩具の電気駆動装置は、生産中に設定されたパラメータに基づいてのみ動作することができる。即ち、パラメータは固定であり、変更または修正することができない。そのため、玩具の動作を変更することができない。遠隔制御によって制御することができる別のタイプの電気玩具も存在する。電気玩具の動作を遠隔制御により制御することができる。つまり、ユーザは、遠隔制御により玩具の動作パラメータを変更または修正することができ、これにより玩具の動作も対応する動作に変更される。しかしながら、このタイプの玩具は、遠隔制御に著しく依存する。遠隔制御がダメージを受けると、玩具はもはや機能することができない。更に、遠隔制御によって電気玩具の動作を制御することは幼齢の子供にとっては難しいことである。例えば、赤外線センシング等の非接触式センシングやスロットカード・センシング等の接触式センシングを含むセンシング機能を通じて制御することができる別のタイプの電気玩具も存在する。しかしながら、現在利用可能なセンシング制御された動作に関して、これらの機能は上述のスイッチまたはボタンの機能と実質的に同等である。つまり、センシング信号を受信すると、玩具は一つの対応する動作だけを行うことができる。その結果、このタイプの玩具もセンシング制御を通じて動作の変更を実現することができない。
【発明の概要】
【発明が解決しようとする課題】
【０００３】
本発明は、上述の既存の技術における技術的問題に取り組み、その目的の一つは頻度またはセンシング信号の数により玩具の動作の変更を制御することができる、電気玩具用のセンシング制御システムを提供することである。
【課題を解決するための手段】
【０００４】
上述の目的を実現するために、本発明は、電気玩具用のセンシング制御システムであって、外的センシングを受けてセンシング信号を生成する信号検出モジュールと、センシング信号を受信し、センシング信号の数を計数し、異なる数のセンシング信号に対応する異なる制御信号を送信する計算／制御モジュールと、制御信号を受信し、電気玩具に駆動信号を送信して電気玩具を動作するよう制御する、電気駆動モジュールと、を備えることを特徴とする電気玩具用のセンシング制御システムといった技術的解決策を用いる。
【０００５】
信号検出モジュールは、非接触式センシング回路を含み、非接触式センシング回路にはセンシング受信器が設けられ、センシング受信器はユーザが行う動作それぞれに対して、リアルタイムでユーザの動作を追跡して検知し、センシング受信器は一つのセンシング信号を出力して計算／制御モジュールにセンシング信号を送信する。
【０００６】
本発明では、非接触式センシング回路は、感光性のセンシング回路、磁気センシング回路、熱センシング回路、および、音センシング回路よりなる群から選択される。
【０００７】
更に、センシング・イベントの数または頻度を計数するために、計算／制御モジュールは、制御チップを含み、制御チップは連続的な時間期間で信号検出モジュールから送信されるセンシング信号の数を記録し、記録された数に対応する制御信号を記録された数に応じて電気駆動モジュールに送信する。
【０００８】
更に、センシングの数を識別して対応する制御信号を相応じて送信するために、制御チップには複数の組の制御信号が記憶され、各組の制御信号は数値範囲に対応する。記録された数がどの数値範囲内にもない場合には信号が送信されず、記録された数が一つの数値範囲内にある場合には記録された数が属する数値範囲に対応する制御信号が送信される。
【０００９】
本発明のセンシング制御システムは幅広い種類の電気玩具に適用可能である。本開示の電気駆動モジュールは、モータ駆動モジュール、光駆動モジュール、音駆動モジュール、電磁石駆動モジュール、および、二つ以上のこれらの組み合わせよりなる群から選択され得る。
【００１０】
より具体的には、電気駆動モジュールがモータを含むモータ駆動モジュールであり、計算／制御モジュールにはシングル・チップ・マイクロコンピュータ（ＳＣＭ）が設けられている場合、シングル・チップ・マイクロコンピュータ（ＳＣＭ）には次のようにして制御信号が記憶される。数値範囲がＮ１の場合には、モータは速度Ｓ１でＴ１秒間運転され、数値範囲がＮ２の場合には、モータは速度Ｓ２でＴ２秒間運転され、数値範囲がＮ３の場合には、モータは速度Ｓ３でＴ３秒間運転され、数値範囲がＮｍの場合には、モータは速度ＳｍでＴｍ秒間運転され、数値範囲がＮ２であり、Ｎ１＜Ｎ２＜Ｎ３＜Ｎｍの場合には、Ｓ１＜Ｓ２＜Ｓ３＜Ｓｍ、Ｔ１＜Ｔ２＜Ｔ３＜Ｔｍである。他方で、信号検出モジュールは、フォトトランジスタを含む感光性のセンシング・モジュールであり、フォトトランジスタは、電気玩具の上面に配置され、ユーザが電気玩具の上方で手を振ると、フォトトランジスタはセンシングを受け、それに応じて計算／制御モジュールにセンシング信号を送信する。ユーザが連続的な時間期間でＸ回手を振り、２回の連続的な手振り動作間の時間間隔がわずか１秒である場合、ユーザの手振り動作の終了から１秒後にシングル・チップ・マイクロコンピュータ（ＳＣＭ）は受信したセンシング信号を計数し、計数された数がＸに到達すると、数ＸをＮ１、Ｎ２，Ｎ３、…Ｎｍと比較する。ＸがＮ１よりも小さい場合、信号は送信されず、ＸがＮ１、Ｎ２，Ｎ３、…Ｎｍのいずれか一つの範囲内にある場合、Ｘが属する数値範囲に対応する制御信号が電気駆動モジュールに送信されて、制御信号に対応する特定の運転速度や特定の運転時間に応じてモータが駆動される。
【００１１】
更には、信号検出モジュールは、少なくとも２つの非接触式センシング回路を有し、非接触式センシング回路それぞれにはセンシング受信器が設けられ、センシング受信器はユーザが行う動作それぞれに対してリアルタイムでユーザの動作を追跡して検知し、センシング受信器は一つのセンシング信号を出力し、該センシング信号を計算／制御モジュールに送信し、計算／制御モジュールは受信した複数のセンシング信号の組み合わせの決定に基づいて対応する制御信号を送信する。他方で、非接触式センシング回路は、感光性のセンシング回路、磁気センシング回路、熱センシング回路、音センシング回路、および、二つ以上のこれらの組み合わせよりなる群から選択される。
【００１２】
本発明において、センシング制御システムには計算／制御モジュールが設けられている。計算／制御モジュールにより、信号検出モジュールで受けたセンシング・イベントの数が計数される。その後、この計数から得られたセンシング・イベントの数と、計算／制御モジュールに予め記憶されたデータとを比較した結果に基づいて、得られたセンシング・イベントの数に対応する制御信号が更に電気駆動モジュールに送信され、最終的に、電気駆動モジュールが駆動信号を送信して電気玩具を動作させるように制御する。その結果、異なる数のセンシング・イベントに基づき、電気玩具は異なる動作を実施することができ、また、速度を変えて一つの動作を実施したりすることができる。このようにして、本発明により、本発明に開示するセンシング制御システムを具備する電気玩具は、遠隔制御の限界を超えて、様々な年齢の子供達に適した玩具となり得る。更に、玩具は、より使い勝手がよくなり、よりインタラクティブとなり、より面白くなるといった利点を有するため、多くの子供達に愛用されるようになる。他方で、センシング制御システムには少なくとも２つの非接触式センシング回路が設けられ、各非接触式センシング回路にはセンシング受信器が設けられている。そのため、ユーザが行う動きや動作それぞれについて、各センシング受信器は対応するセンシング信号を出力し、該センシング信号を計算／制御モジュールに送信する。計算／制御モジュールは、受信した複数のセンシング信号の組み合わせの決定に基づき対応する制御信号を相応じて送信する。このようにして、ユーザは様々な方法で電気玩具と遊ぶことができる。例えば、ユーザは電気玩具を前後進するよう、あるいは、左または右に曲がるように制御してもよい。更に、異なる信号の組み合わせにより、電気玩具はより多くの機能を有することができる。たとえば、電気玩具は、手荒く扱われることを防止する機能や他の新しい機能を有するため、動作がより柔軟且つ容易に制御できるようになる。更に、前述したように、玩具の非接触式センシング回路は感光性のセンシング回路、磁気センシング回路、熱センシング回路、おとセンシング回路、および、二つ以上のこれらセンシング回路の組み合わせよりなる群から選択され得る。このため、異なるセンシング回路が同じ電気玩具の異なる機能を制御するために一緒に使用されてもよい。このようにして、電気玩具の動作性や楽しさが効果的に向上される。
【００１３】
本発明は、添付の図面や実施形態と併せて以下に更に説明する。
【図面の簡単な説明】
【００１４】
【図１】図１は、本発明の実施形態による回路を示す概略図である。
【図２】図２は本発明の別の実施形態による回路を示す概略図である。
【発明を実施するための形態】
【００１５】
図１及び図２に示すように、本発明は、電気玩具用のセンシング制御システムに係り、外的センシングを受けてセンシング信号を生成する信号検出モジュールと、センシング信号を受信し、センシング信号の数を計数し、異なる数のセンシング信号に対応する異なる制御信号を送信する計算／制御モジュールと、制御信号を受信し、電気玩具に駆動信号を送信して電気玩具を動作するよう制御する電気駆動モジュールとを備える。更に、信号検出モジュールによって受信されたセンシング信号の数を計算／制御モジュールによって数えることができる。その後、上述の計数から得られたセンシング・イベントの数と、計算／制御モジュールに予め記憶されたデータとを比較した結果に基づき、得られたセンシング・イベントの数に対応する制御信号が更に電気駆動モジュールに送信され、最終的に、電気駆動モジュールは駆動信号を送信して電気玩具を制御する。その結果、異なる数のセンシング・イベントに基づき、電気玩具は異なる動作を実施することができ、または、速度を変えて一つの動作を実施したりすることができる。このようにして、本発明により、本発明に開示するセンシング制御システムを具備する電気玩具は、遠隔制御の限界を超えて、様々な年齢の子供達に適した玩具となり得る。更に、玩具はより使い勝手がよくなり、よりインタラクティブとなり、より面白くなるといった利点を有するため、多くの子供達に愛用されるようになる。
【００１６】
第一の実施形態
図１に示すように、本実施形態では、信号検出モジュールは、非接触式センシング回路を含み、非接触式センシング回路はフォトトランジスタであるセンシング受信器に対応する感光性センシング回路である。更に、本実施形態では、発光源が設けられている。フォトトランジスタと発光源は電気玩具車の上部に配置されるため、リアルタイムでユーザの手振り動作を追跡して検知することができる。したがって、ユーザが電気玩具車の上方で一度手を振ると、センシング受信器はそれに応じてセンシング信号を出力し、センシング信号を計算／制御モジュールに送信する。更に、計算／制御モジュールにはシングル・チップ・マイクロコンピュータ（ＳＣＭ）が設けられている。本発明では、ＳＮ８Ｐ２５１１−ＳＯＰ８のシングル・チップ・マイクロコンピュータ（ＳＣＭ）が使用されている。このＳＣＭは、連続的な時間期間で上述の感光性センシング受信器から送信されるセンシング信号の数を記録することができ、更に、記録された数のセンシング信号に対応する制御信号を記録された数のセンシング信号に応じて電気駆動モジュールに送信することができる。更には、ＳＣＭには五組の制御信号が記憶され、各組の制御信号はそれぞれの数値範囲に対応している。記録された数がいずれの数値範囲内にもない場合には、信号は送信されず、記録された数が一つの数値範囲内にある場合には、記録された数のセンシング信号が属する数値範囲に対応する制御信号が送信される。更には、計算／制御モジュールにはＬＥＤ光が設けられている。ＬＥＤ光は、ユーザの手振り動作の速度に応じて点滅することができる。本実施形態では、電気駆動モジュールは、電気玩具車に配置されたモータを含む電気駆動モジュールである。ＳＣＭから送信される制御信号は、モータの動作を制御するために使用される。
【００１７】
本実施形態におけるシングル・チップ・マイクロコンピュータ（ＳＣＭ）に記憶されている特定の制御信号は次の通りである：［１］手を４回から６回振ると、この手振り動作が終了してから１秒後に、電気車はモータの完全運転速度の３０％の移動速度で１秒間前進する。［２］手を７回から９回振ると、この手振り動作が終了してから１秒後に、電気車はモータの完全運転速度の４５％の移動速度で２秒間前進する。［３］手を１０回から１４回振ると、この手振り動作が終了してから１秒後に、電気車はモータの完全運転速度の６０％の移動速度で４秒間前進する。［４］手を１５回から２０回振ると、この手振り動作が終了してから１秒後に、電気車はモータの完全運転速度の８０％の移動速度で８秒間前進する。［５］手を２１回以上振ると、この手振り動作が終了してから１秒後に、電気車はモータの完全運転速度の１００％の移動速度で１２秒間前進する。
【００１８】
本実施形態に記載されるセンシング制御システムが電気玩具車に使用される場合、動作手順は次の通りである：電源ボタンを押すとシステムが作動し始め、電気玩具車はこの瞬間にスタンバイ状態となる。ユーザが電気玩具車の上方で手を振り、２回の連続的な手振り動作間の時間間隔がわずか１秒であるといった要件を手振り動作が満たす場合、手振り動作の数が４秒の時間期間内でわずか３回であれば、電気玩具車は応答せず今後のセンシングのためにスタンバイ状態で待機する。手振り動作の数が連続的な時間期間内で４回より多ければ、ＳＣＭからの各制御信号に応じて、ユーザは電気玩具車を移動するよう制御することができる。例えば、ユーザが５回手を振ると、この手振り動作が終了してから１秒後に、電気車はモータの完全運転速度の３０％の移動速度で１秒間前進し、ユーザが１０回手を振ると、この手振り動作が終了してから１秒後に、電気車はモータの完全運転速度の６０％の移動速度で４秒間前進し、ユーザが２５回手を振ると、この手振り動作が終了してから１秒後に、電気車はモータの完全運転速度の１００％の移動速度で１２秒間前進する。更に、一回の前進移動が完了した後、電気玩具車はスタンバイ状態に戻る。手振り動作が次の５分以内に検知された場合、電気玩具車は手振り動作の数に応じて再び運転される。他方で、次の５分以内に手振り動作が検知されなかった場合、電気玩具車はオフ状態になる。この場合、ユーザは再び電源ボタンを押して電気車をオンにし、プレイ状態にさせなくてはならない。更に、ユーザが玩具車を手動で終了する必要がある場合、ユーザは電源ボタンを二、三秒押すことで終了させることができる。
【００１９】
第２の実施形態
図２に示すように、本実施形態では、信号検出モジュールは三つの非接触式センシング回路を有し、三つの非接触式センシング回路それぞれはセンシング受信器を含み、三つのうち二つの非接触式センシング回路は対応するセンシング受信器がフォトトランジスタである感光性のセンシング回路であり、残りの一つの非接触式センシング回路は対応するセンシング受信器が磁気センシング回路である磁気センシング回路である。本実施形態では、二つのフォトトランジスタはリアルタイムでユーザの手振り動作を追跡して検知することができる。他方で、磁気センシング素子は、ユーザが手に磁気物体を持って手振り動作を行った場合にだけ検知することができる。ユーザが一回手を振ると、それを検知することができるセンシング受信器は相応じてセンシング信号を出力し、センシング信号を計算／制御モジュールに送る。計算／制御モジュールは、生成されたセンシング信号の特定のシーケンスを決定することで、電気玩具の移動方向を制御する。計算／制御モジュールには、ＳＮ８Ｐ２５１１−ＳＯＰ１４シングル・チップ・マイクロコンピュータ（ＳＣＭ）が設けられている。シングル・チップ・マイクロコンピュータ（ＳＣＭ）は、連続的な時間期間で上述の三つのセンシング受信器から送信されたそれぞれの数のセンシング信号を記録することができ、記録された数に対応する制御信号を電気駆動モジュールに記録された数に応じて送信することができる。同様にして、ＳＣＭには多数の組の制御信号が記憶され、各組の制御信号はそれぞれの数値範囲に対応している。記録された数がどの数値範囲内にもない場合、信号は送信されず、記録された数が一つの数値範囲内にある場合には、記録された数が属する数値範囲に対応する制御信号が送信される。同様にして、計算／制御モジュールにはＬＥＤ光が設けられている。ＬＥＤ光は、ユーザの手振り動作の速度に応じて点滅することができる。本実施形態では、電気駆動モジュールは、電気玩具車に配置されたモータを含む電気駆動モジュールである。ＳＣＭから送信された制御信号は、モータの動作を制御するために使用される。
【００２０】
本実施形態では、上述の二つのフォトトランジスタは電気玩具車の上部において前後に配置されている。磁気素子は、二つのフォトトランジスタの一側に配置されている。ユーザが手ぶらで電気玩具車の後側から前側に向かって手振り動作を行うと、玩具車の後側に位置するフォトトランジスタが最初に手振り動作を検知し、それに応じてセンシング信号を送信する。続いて、玩具車の前側に位置するフォトトランジスタが手振り動作を検知し、それに応じてセンシング信号を送信する。磁気素子は、手ぶらでの手振り動作を検知することができないため、該状況においては磁気センシング信号を送信しない。ＳＣＭは、最初に、二つのセンシング信号が生成されたシーケンス、並びに、連続的な時間期間においてユーザによって行われた手振り動作の数を決定し、それに応じて、検知した手振り動作の数に対応する速度で前進するよう電気玩具を制御する。ユーザが手ぶらで電気玩具車の前側から後側に手振り動作を行うと、玩具車の前側に位置するフォトトランジスタが最初に手振り動作を検知し、それに応じてセンシング信号を送信する。続いて、玩具車の後側に位置するフォトトランジスタが手振り動作を検知し、それに応じてセンシング信号を送信する。磁気素子は、手ぶらでの手振り動作を検知することができないため、磁気センシング信号を送信しない。ＳＣＭは、最初に、二つのセンシング信号が生成されたシーケンス、並びに、連続的な時間期間においてユーザによって行われた手振り動作の数を決定し、それに応じて、検知した手振り動作の数に対応する速度で後進するよう電気玩具を制御する。別の場合では、ユーザが磁気物体を手にして電気玩具車の上方で手振り動作を行うと、二つのフォトトランジスタが順次手振り動作を検知し、相応じて、それぞれのセンシング信号を送信する。更に、この場合、磁気物体により、磁気センシング素子は磁気信号を送信する。ＳＣＭは、最初に、二つのセンシング信号が生成されたシーケンス、並びに、連続的な時間期間においてユーザによって行われた手振り動作の数を決定し、それに応じて、検知した手振り動作の数に対応する速度で前進あるいは後進するよう電気玩具を制御する。同時に、ＳＣＭは、磁気センシング回路から送られる磁気センシング信号を受信し、それに応じて、電気玩具車の他の機能を制御するよう対応する指示を送信する。より具体的には、本実施形態では、ＳＣＭが磁気センシング信号を受信すると、電気玩具車におけるモータの運転速度を増加させる制御を行う。すなわち、同じ数の手振り動作でも、ユーザが磁気物体を手に手振り動作を行うと、手ぶらで手振り動作を行う場合よりも、電気玩具車はより早く動くことができる。
【００２１】
本発明は、上述の特定の実施形態を参照して説明されたが、本発明は実施形態の説明によって制限されない。当業者は、本発明の説明に基づき開示した実施形態の他の変更を予想することができるであろう。したがって、これらの変更も本願の特許請求の範囲によって定められる範囲に包含される。
【図１】
2016507311.tif 000003
【図２】
2016507311.tif 000004
【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
電気玩具用のセンシング制御システムであって、
外的センシングを受けてセンシング信号を生成する信号検出モジュールと、
前記センシング信号を受信し、前記センシング信号の数を計数し、異なる数のセンシング信号に対応する異なる制御信号を送信する計算／制御モジュールと、
前記制御信号を受信し、前記電気玩具に駆動信号を送信して前記電気玩具が動作するよう制御する、電気駆動モジュールと、を備え、
前記電気駆動モジュールは、モータを含むモータ駆動モジュールであり、
前記計算／制御モジュールにはシングル・チップ・マイクロコンピュータ（ＳＣＭ）が設けられ、前記シングル・チップ・マイクロコンピュータ（ＳＣＭ）には前記制御信号が記憶され、
数値範囲がＮ１の場合には、モータは速度Ｓ１でＴ１秒間運転され、
数値範囲がＮ２の場合には、モータは速度Ｓ２でＴ２秒間運転され、
数値範囲がＮ３の場合には、モータは速度Ｓ３でＴ３秒間運転され、
数値範囲がＮｍの場合には、モータは速度ＳｍでＴｍ秒間運転され、
Ｎ１＜Ｎ２＜Ｎ３＜Ｎｍ、Ｓ１＜Ｓ２＜Ｓ３＜Ｓｍ、および、Ｔ１＜Ｔ２＜Ｔ３＜Ｔｍであることを特徴とする、電気玩具用のセンシング制御システム。
【請求項２】
前記信号検出モジュールは、非接触式センシング回路を含み、前記非接触式センシング回路にはセンシング受信器が設けられ、前記センシング受信器はユーザが行う動作それぞれに対して、リアルタイムで前記ユーザの動作を追跡して検知し、前記センシング受信器は一つのセンシング信号を出力して前記センシング信号を前記計算／制御モジュールに送信することを特徴とする、請求項１記載の電気玩具用のセンシング制御システム。
【請求項３】
前記非接触式センシング回路は、感光性のセンシング回路、磁気センシング回路、熱センシング回路、および、音センシング回路よりなる群から選択されることを特徴とする、請求項２記載の電気玩具用のセンシング制御システム。
【請求項４】
前記計算／制御モジュールは、制御チップを含み、前記制御チップは連続的な時間期間で前記信号検出モジュールから送信される前記センシング信号の数を記録し、前記記録された数に対応する制御信号を前記記録された数に応じて前記電気駆動モジュールに送信することを特徴とする、請求項１記載の電気玩具用のセンシング制御システム。
【請求項５】
前記制御チップには複数の組の制御信号が記憶され、各組の制御信号は数値範囲に対応し、前記記録された数がどの数値範囲内にもない場合には信号が送信されず、前記記録された数が一つの数値範囲内にある場合には前記記録された数が属する前記数値範囲に対応する制御信号が送信されることを特徴とする、請求項４記載の電気玩具用のセンシング制御システム。
【請求項６】
前記電気駆動モジュールは、モータ駆動モジュール、光駆動モジュール、音駆動モジュール、電磁石駆動モジュール、および、二つ以上のこれらの組み合わせよりなる群から選択されることを特徴とする、請求項１記載の電気玩具用のセンシング制御システム。
【請求項７】
前記信号検出モジュールは、フォトトランジスタを含む感光性のセンシング・モジュールであり、
前記フォトトランジスタは、前記電気玩具の上面に配置され、
ユーザが前記電気玩具の上方で手を振ると、前記フォトトランジスタはセンシングを受け、相応じてセンシング信号を前記計算／制御モジュールに送信し、
前記ユーザが連続的な時間期間でＸ回手を振り、２回の連続的な手振り動作間の時間間隔がわずか１秒である場合、前記ユーザの手振り動作の終了から１秒後に前記シングル・チップ・マイクロコンピュータ（ＳＣＭ）は前記生成されたセンシング信号を計数し、前記計数された数がＸに到達すると、前記数ＸをＮ１、Ｎ２，Ｎ３、…Ｎｍと比較し、
ＸがＮ１よりも小さい場合、信号は送信されず、
ＸがＮ１、Ｎ２，Ｎ３、…Ｎｍのいずれか一つの範囲内にある場合、前記Ｘが属する数値範囲に対応する制御信号が前記電気駆動モジュールに送信されて、前記制御信号に対応する特定の運転速度や特定の運転時間に応じてモータが駆動される、請求項１記載の電気玩具用のセンシング制御システム。
【請求項８】
前記信号検出モジュールは、少なくとも２つの非接触式センシング回路を有し、前記非接触式センシング回路それぞれにはセンシング受信器が設けられ、前記センシング受信器は前記ユーザが行う動作それぞれに対してリアルタイムで前記ユーザの動作を追跡して検知し、前記センシング受信器は一つのセンシング信号を出力し、前記センシング信号を前記計算／制御モジュールに送信し、
前記計算／制御モジュールは受信した複数のセンシング信号の組み合わせの決定に基づいて対応する制御信号を送信することを特徴とする、請求項１記載の電気玩具用のセンシング制御システム。
【請求項９】
前記非接触式センシング回路は、感光性のセンシング回路、磁気センシング回路、熱センシング回路、音センシング回路、および、二つ以上のこれらの組み合わせよりなる群から選択されることを特徴とする、請求項８記載の電気玩具用のセンシング制御システム。
【国際調査報告】
2016507311.tif 000005
2016507311.tif 000006
2016507311.tif 000007
2016507311.tif 000008